(57)【要約】  【課題】腰部の所定の部位に磁力が供給されるように磁石をセットできる腰痛ベルトを提供すること。  【解決手段】本発明にかかる腰痛ベルトでは、腰部に装着するベルトの寛骨筋対応位置、仙骨対応位置、もしくは経穴の腰痛の特効穴のすくなくとも何れかの位置に磁石を配設した。また、前記寛骨筋対応位置は、大臀筋、中臀筋、小臀筋、梨状筋、上双子筋、下双子筋、外閉鎖筋、内閉鎖筋、もしくは大腿方形筋の少なくとも何れかに対応する位置である。そして、前記磁石は、シート状のゴム磁石もしくはシート状のフェライト磁石の少なくとも何れか一方を含んで構成した。また、前記シート状のゴム磁石の一面には粘着テープを貼付し、前記磁石の片面には遠赤外線放出層を形成した。そして、前記ベルトは、伸縮性の布帛で構成した。【選択図】      図１
2005160584.tif 000002
【特許請求の範囲】
【請求項１】
腰部に装着するベルトの寛骨筋対応位置、仙骨対応位置、もしくは経穴の腰痛の特効穴のすくなくとも何れかの位置に磁石を配設したことを特徴とする腰痛ベルト。
【請求項２】
前記寛骨筋対応位置は、大臀筋、中臀筋、小臀筋、梨状筋、上双子筋、下双子筋、外閉鎖筋、内閉鎖筋、もしくは大腿方形筋の少なくとも何れかに対応する位置であることを特徴とする請求項１に記載の腰痛ベルト。
【請求項３】
前記磁石は、シート状のゴム磁石もしくはシート状のフェライト磁石の少なくとも何れか一方を含んでなることを特徴とする請求項１〜２の何れか１項に記載の腰痛ベルト。
【請求項４】
前記シート状のゴム磁石の一面には粘着テープを貼付したことを特徴とする請求項３に記載の腰痛ベルト。
【請求項５】
前記磁石の片面には遠赤外線放出層を形成したことを特徴とする請求項１〜４の何れか１項に記載の腰痛ベルト。
【請求項６】
前記ベルトは、伸縮性の布帛で構成したことを特徴とする請求項１〜５の何れか１項に記載の腰痛ベルト。
【請求項７】
前記ベルトの上縁もしくは下縁に、他のベルトと係止し得る係止手段を配設したことを特徴とする請求項１〜６の何れか１項に記載の腰痛ベルト。
【請求項８】
前記磁石の一部を、前記ベルトに係止したことを特徴とする請求項１〜７の何れか１項に記載の腰痛ベルト。
【請求項９】
ベルト本体を、中央部を幅広く両端を狭く形成するとともに、
前記ベルト本体の中央から左右に200mm以内の位置と、260mmから280mmの間の位置とに、それぞれ磁石を左右対象に配設し、
前記ベルト本体の両端部分には面ファスナーを配設したことを特徴とする請求項１〜８の何れか１項に記載の腰痛ベルト。
【請求項１０】
前記ベルト本体は、表層と裏層の二重構造とし、その間に前記磁石を配設したことを特徴とする請求項９に記載の腰痛ベルト。
【請求項１１】
前記磁石は二重構造のベルト本体の何れかの層に係止したことを特徴とする請求項１０に記載の腰痛ベルト。
【発明の詳細な説明】
【技術分野】
【０００１】
本発明は、腰痛を緩和するために腰部に装着する腰痛ベルトに関するものである。
【背景技術】
【０００２】
腰痛の起こる原因は、人が二本足で立ち歩行や動作をするようになったためであるということが通説であり、腰痛を訴える人の多くが腰椎４番５番付近の痛みを訴えている。
その理由は、人が立つときに前後左右に倒れないようにバランスを取らないといけないが、例えば、走行時において考察すると、右足が地面に着いているときは左足が上がっており、左足が地面に着いた瞬間右足が上がっている。一歩一歩歩行する瞬間をとらえると常に片足立となっているのである。
【０００３】
足の裏が縦に長く横には短いために前後のバランスは非常に取りやすいが、左右のバランスは足の裏では非常に取りにくくなっている。寛骨筋（特に中臀筋、小臀筋等、梨状筋）を使い、左右のバランスを取っているのである。また、作業時においても、体幹の左右への重心移動においても、これらの筋を使用する。
腰痛は日本の国民病とも言われている原因の一つは、日本人は外国人に比べて臀部が小さいためであるとも言われている。そのために、前記筋が疲れやすく、長時間使用することによって、それらの疲れが痛みに変わっていると思われる。
前記筋は、骨盤から始まって大髄骨大転子に至る扇形の筋である。筋から腱に移行する部分が痛みやすいので、前記筋も、大転子に付着する部分の近辺で筋から腱に移行する部分が痛みやすいのである。また、それらの部分は、経穴における腰痛症の特効穴でもある。
【０００４】
神経は運動神経と知覚神経とに分類され、痛みの情報は知覚神経により伝達されるが、知覚神経は求心性ニューロンであるため、その情報が脳へ伝達されるときには、遠位から近位へ伝達される仕組みとなっている。
【発明の開示】
【発明が解決しようとする課題】
【０００５】
寛骨筋が痛むとき腰椎４番５番近辺が委託感じる理由は、それらの筋が上臀神経支配であり、仙骨神経叢の一部であり、骨盤孔から梨状筋上孔を経て腸骨外側を腸骨稜に向かって上方に伸びている神経であるからである。この神経は、人が四つ足のままであれば骨盤が水平となっているために、上方から下方に向かって走行しているのであるが、人は進化して、二本足で立ち上がったために、骨盤が起き上がり、水平の状態から立ち上がった状態に変ったために、上臀神経は骨盤とともに起き上がり、本来、下（遠位）から上（近位）に痛みの情報が伝えられるべきところの上臀神経の走行が逆転して、骨盤部では上（近位）から下（遠位）にその情報が伝わるようになったまま残ってしまったからであると言われている。
【０００６】
寛骨筋の痛みの情報は、上臀神経により伝達されるため、一度近位から遠位に情報が伝わり、仙骨神経叢を経て腰椎４番５番に入り、そこから情報は脳へ向かって伝達されてくる。脳では遠位から近位に伝わる情報は簡単に解析できるが、近位から遠位へ伝わる上臀神経の情報はうまく解析できない。そのため、そのような情報は、あいまいなまま背骨に入って脳へ向かって上行して伝達されるため、脳では上臀神経からの情報は上臀神経の背骨への入口付近と錯覚をするのである。
つまり、寛骨筋の痛みの情報は、腰椎４番５番近辺の痛みとして錯覚して捕らえてしまうのである。
こうした理由により、寛骨筋の痛みを緩和すれば腰椎４番５番近辺の錯覚による痛みは緩和されるのである。
【０００７】
そこで、本発明は、以上の知見に基づいて、腰部の所定の部位に磁力が供給されるように磁石をセットできる腰痛ベルトを提供することを目的としてなされたものである。
【課題を解決するための手段】
【０００８】
本発明にかかる腰痛ベルトの請求項１では、
腰部に装着するベルトの寛骨筋対応位置、仙骨対応位置、もしくは経穴の腰痛の特効穴のすくなくとも何れかの位置に磁石を配設した。
請求項２では、前記寛骨筋対応位置は、大臀筋、中臀筋、小臀筋、梨状筋、上双子筋、下双子筋、外閉鎖筋、内閉鎖筋、もしくは大腿方形筋の少なくとも何れかに対応する位置である。
請求項３では、前記磁石は、シート状のゴム磁石もしくはシート状のフェライト磁石の少なくとも何れか一方を含んでなることを特徴とする。
請求項４では、前記シート状のゴム磁石の一面には粘着テープを貼付した。
請求項５では、前記磁石の片面には遠赤外線放出層を形成した。
請求項６では、前記ベルトは、伸縮性の布帛で構成した。
請求項７では、前記ベルトの上縁もしくは下縁に、他のベルトと係止し得る係止手段を配設した。
請求項８では、前記磁石の一部を、前記ベルトに係止した。
請求項９では、ベルト本体を、中央部を幅広く両端を狭く形成するとともに、
前記ベルト本体の中央から左右に200mm以内の位置と、260mmから280mmの間の位置とに、それぞれ磁石を左右対象に配設し、
前記ベルト本体の両端部分には面ファスナーを配設した。
請求項１０では、前記ベルト本体は、表層と裏層の二重構造とし、その間に前記磁石を配設した。
請求項１１では、前記磁石は二重構造のベルト本体の何れかの層に係止した。
【発明の効果】
【０００９】
本発明の腰痛ベルトによれば、腰部に装着するベルトの寛骨筋対応位置、仙骨対応位置、もしくは経穴の腰痛の特効穴のすくなくとも何れかの位置に磁石を配設したので、大臀筋、中臀筋、小臀筋、梨状筋、上双子筋、下双子筋、外閉鎖筋、内閉鎖筋、もしくは大腿方形筋の何れかの痛みを軽減するとともに、寛骨筋の痛みを緩和して腰椎４番５番近辺の錯覚による痛みも緩和される。
【発明を実施するための最良の形態】
【００１０】
以下に、本発明にかかる腰痛ベルトを、その実施の形態を示した図面に基づいて詳細に説明する。
図１において、１は本発明にかかる実施形態の腰痛ベルトであり、伸縮性の布地を二重構造に構成した。全長は、900mm〜1200mm程度が好ましい。中央部分Ａは幅広く形成し、両端部分Ｂ１、Ｂ２は狭く形成した。
中央部分Ａの幅は100mm〜150mm程度とし、その長さは450mm〜600mm程度とした。この中央部分Ａには、長さ100mm程度のシート状の磁石Ｍ１と、その両側に長さ200mm程度のシート状の磁石Ｍ２、Ｍ３を配設した。
さらに、中央から250mm程度の位置に板状の磁石Ｍ４、Ｍ５を配設し、さらに５mm程離して同様の磁石Ｍ６、Ｍ７を配設した。
これらの磁石Ｍ１〜Ｍ７によって、腰部への装着時には、寛骨筋、仙骨、もしくは経穴の腰痛の特効穴への効果的な磁気作用が得られる。
【００１１】
両端部分Ｂ１、Ｂ２の幅は50mm〜80mm程度として前記中央部分Ａより狭くなっている。前記中央部分Ａから両端部分Ｂ１、Ｂ２への移行部分は徐々に狭くなるように半径140mm程度の曲率の曲部Ｃ１、Ｃ２を形成した。従って、臀部と干渉しにくいので優れた使用感が得られる。
【００１２】
前記両端部分Ｂ１、Ｂ２には互いに係止するように係止構造を形成した。具体的には、例えば、端部分Ｂ１の（腰部へ装着時における）外側面に面ファスナーの被係止ループ構造を形成し、他方の端部分Ｂ２の（腰部へ装着時における）内側面に面ファスナーの係止鉤構造を形成した。
従って、腰部への着脱が容易である。
【００１３】
前記磁石Ｍ１はポケット状の収納部Ａ１に収納された状態で配設されており、前記磁石Ｍ２，Ｍ３もそれぞれポケット状の収納部Ａ２、Ａ３に収納された状態で配設されている。従って、ベルト本体を伸縮させた場合でも、磁石Ｍ１〜Ｍ３自体に引っ張り力は作用しないので破損しにくい。
これらの磁石の磁力は、種々の観点から例えば100ミリテスラー程度のものを使用すると良い。
【００１４】
また、各磁石はポケット状の収納部に収納することに代えて、各磁石の一部分を前記ベルト本体に連結してもよい。この場合でも、ベルト本体の伸縮方向への引っ張り力が作用しないので破損しにくい。
【００１５】
また、各磁石をシート状のゴム磁石とした場合には、折り曲げ力が作用したときに割れやすいの、前記シート状の裏面もしくは表面の何れに粘着テープを貼り付けて保護するとよい。仮に割れても離散することは防止できる。
【００１６】
なお、長期にわたって大臀筋、中臀筋、小臀筋、梨状筋への痛みが続くと、それらの筋を補助するために、その下層にある上双子筋、下双子筋、外閉鎖筋、内閉鎖筋、もしくは大腿方形筋を過剰に使うことになり、やがてはそれらの筋群をも痛めてしまうことになる。これらの筋の痛みも、同様に腰椎４番５番近辺の痛みとして脳に感じられるので、上双子筋、下双子筋、外閉鎖筋、内閉鎖筋、もしくは大腿方形筋に対応する位置にも磁力を与えることが必要となる。従って、ベルト本体の幅を200mm以上とするか、２本以上のベルトをずらして装着することが効果的である。
２本目のベルトの場合には、図２に示したように、２個所の磁石Ｍ８、Ｍ９を50mmから60mm程度離して配設するとよい。
【実施例１】
【００１７】
本発明の実施例では、第１のベルト１は、図１に示したように、全長が1100mm、両端部分の長さがそれぞれ200mm、幅が60mmとし、中央部分の幅が120mm、長さが520mm、移行部分が90mm程度のものとした。
第２のベルト２は、図２に示したように全長が1050mm、中央部分の幅が100mm、長さが400mmとした。
なお、使用者のサイズに応じて、これらのベルトの全長等を変更することは当然である。
【図面の簡単な説明】
【００１８】
【図１】本発明にかかる腰痛ベルトの実施の形態（第１のベルト）の構成を示した構成図である。
【図２】本発明にかかる腰痛ベルトの実施の形態（第２のベルト）の構成を示した構成図である。
【符号の説明】
【００１９】
１，２    腰痛ベルト
Ａ    中央部分
Ｂ１  両端部分
Ｂ２  両端部分
Ｍ１，〜Ｍ９  磁石
【図１】
2005160584.tif 000003
【図２】
2005160584.tif 000004